(57)【要約】【課題】輸送後の段ボール箱を、工作キットとして再利用することができる変形機能付段ボール箱を提供する。【解決手段】矩形状の底板の両側辺に、一対の側板、蓋板を夫々折目A、折目Bを介して順次連設し、両端辺に、一対の端板、内フラップを夫々折目C、折目Dを介して順次連設し、前記側板の両側辺に糊代片を夫々連設した形態からなる段ボール箱が、異なった形態の変形体に折り上がるようにしたものであって、前記折目Aを基端として蓋板側に向かってコ字状の切目を設け、その内側を腹部板とし、前記底板には、中央部よりコ字状に折り曲げる為の折目Eを、折目Aと並列状に設け、折目A、B、Eに沿って折り上げ、対向する腹部板を重ね合わせたとき、前記側板の一部が突出し、その部分を足部とした。【選択図】図１
2007039075.tif 000002
【特許請求の範囲】
【請求項１】
矩形状の底板１の両側辺に、一対の側板２、蓋板３を夫々折目A、折目Bを介して順次連設し、両端辺に、一対の端板４、５、内フラップ６、７を夫々折目C、折目Dを介して順次連設し、前記側板２の両側辺に糊代片８を夫々連設した形態からなる段ボール箱５０が、異なった形態の変形体１００に折り上がるようにしたものであって、前記折目Aを基端として蓋板３側に向かってコ字状の切目１０を設け、その内側を腹部板１１とし、前記底板１には、中央部よりコ字状に折り曲げる為の折目Eを、折目Aと並列状に設け、折目A、B、Eに沿って折り上げ、対向する腹部板１１を重ね合わせたとき、前記側板２の一部が突出し、その部分を足部３０としたことを特徴とする変形機能付段ボール箱。
【請求項２】
前記側板２、蓋板３に、足部３０を二重に折り曲げる為の、折目F、Gを夫々折目Cと並列状に設けたことを特徴とする請求項１に記載の変形機能付段ボール箱。
【請求項３】
前記内フラップ６、７に、目部２１、耳部２２、尾部２３などを形成する為の複数の切目１５を設けたことを特徴とする請求項１又は請求項２に記載の変形機能付段ボール箱。
【請求項４】
前記切目１０、１５を、ミシン目状にしたことを特徴とする請求項１乃至請求項３に記載の変形機能付段ボール箱。
【発明の詳細な説明】
【技術分野】
【０００１】
この発明は、輸送後の段ボール箱を、すぐに廃棄処分することなく工作キットとして再利用することができる変形機能付段ボール箱に関するものである。
【背景技術】
【０００２】
従来より、輸送用などで使用される高さの低い段ボール箱２００は、図８に示すように、矩形状の底板２０１の両側辺に一対の側板２０２、蓋板２０４を順次連設し、両端辺に一対の端板２０３、内フラップ２０５を順次連設し、前記側板２０２の両側辺に糊代片２０６を夫々連設した形態から成り、対向する蓋板２０４の突き合わせした部分に粘着テープを貼り付け閉止し、輸送している。このような段ボール箱を開封し、商品を取り出した後は折り畳み廃棄処分している。
【０００３】
また、使用後の段ボール箱を利用し、カッターなどを使用して工作することがあるが、カッターで手を切ることがあり危険であった。また、底板や蓋板に犬型や人型などを型取った切目を設けることができるが、輸送箱として使用する際、切目から破れたり、耐圧強度が低下したり、又、底板、蓋板が小さいときは、型取りしにくいのである。
【０００４】
また、段ボール箱の裏面に印刷を施し、反転させることで簡単に家型の立体物を形成できるようにしているものもある。（例えば、特許文献１参照。）
【特許文献１】特開２００１−８８８２２号公報
【発明の開示】
【発明が解決しようとする課題】
【０００５】
段ボール素材は、紙に比べ硬いのでカッターで切るにも困難である。また、段ボール箱の表面、裏面ともに印刷を施すと印刷工程において、コストアップの要因となる。
【０００６】
そこでこの発明は、製造コストを抑制し、使用後の段ボール箱を工作キットとして再利用する際に、段ボール箱の展開状態、折目をできるだけ利用し、輸送での強度を低下させることなく、さらに、梱包作業、封緘機は従来と同様の方法を用いることのできる変形機能付段ボール箱を提供する事を課題とする。
【課題を解決するための手段】
【０００７】
以上の課題を解決するために、この発明は、矩形状の底板１の両側辺に、一対の側板２、蓋板３を夫々折目A、折目Bを介して順次連設し、両端辺に、一対の端板４、５、内フラップ６、７を夫々折目C、折目Dを介して順次連設し、前記側板２の両側辺に糊代片８を夫々連設した形態からなる段ボール箱５０が、異なった形態の変形体１００に折り上がるようにしたものであって、前記折目Aを基端として蓋板３側に向かってコ字状の切目１０を設け、その内側を腹部板１１とし、前記底板１には、中央部よりコ字状に折り曲げる為の折目Eを、折目Aと並列状に設け、折目A、B、Eに沿って折り上げ、対向する腹部板１１を重ね合わせたとき、前記側板２の一部が突出し、その部分を足部３０としたのである。
【０００８】
そして、前記側板２、蓋板３に、足部３０を二重に折り曲げる為の、折目F、Gを夫々折目Cと並列状に設けてもよい。
【０００９】
また、前記内フラップ６、７に、目部２１、耳部２２、尾部２３などを形成する為の複数の切目１５を設けてもよい。
【００１０】
また、前記切目１０、１５を、ミシン目状にしてもよい。
【発明の効果】
【００１１】
従来と同様に、段ボール箱の状態では、輸送用として使用することができ、使用後はカッターなどを使用することなく変形体を形成する楽しみができるのである。また、切目を最小限に抑え、折目は段ボール箱の高さ方向に対して縦方向に成るように設けているために輸送する際の、強度低下を抑えることができる。
【００１２】
そして、段ボール箱の展開状態は、従来と同様であるため、梱包作業、封緘機、製函機は従来と同様の方法を用いることができる。また、製造方法は、変形体にする為の切目や折目を抜き型にて追加するだけでよい。
【発明を実施するための最良の形態】
【００１３】
先ず、本発明の実施形態について図１乃至図７に基づいて説明する。図１は、段ボール箱５０の展開図であり、矩形状の底板１の両側辺に、一対の側板２、蓋板３を夫々折目A、折目Bを介して順次連設し、両端辺に、一対の端板４、５、内フラップ６、７を夫々折目C、折目Dを介して順次連設し、前記側板２の両側辺に糊代片８を夫々連設している。側板２の中央部には折目Aを基端とし、蓋板３側に向かってコ字状の切目１０を設け、切目１０は、折目Bを隔て設けられている。さらに、底板１の中央部よりコ字状に折り曲げる為の、二本の折目Eは、折目Aから所定間隔に平行に設けられ、このとき折目Eは、対向する内フラップ６、７の端縁から端縁まで一直線状に繋がった状態で設けられている。
【００１４】
そして、端板５側の折目Cから底板１側に、所定間隔に折目Fが折目Cと平行に設けられ、折目Fは、対向する蓋板３の端縁から端縁まで一直線状に繋がっており、端板４側の折目Cから底板１側に、所定間隔に折目Gを折目Cと平行に設け、折目Gは、蓋板３の端縁から折目Aまで一直線状に繋がっている。また、折目Gと折目Aの交点から端板４側の折目A上に、切目１２が設けられている。
【００１５】
さらに、内フラップ６には、目部２１、耳部２２、内フラップ７には、尾部２３を形成するための切目１５が設けられている。詳しくは、目部２１は、折目Dと折目Eの交点付近に設けられ、耳部２２は、折目Eを基端として外側に向かって設けられ、尾部２３は折目Dを基端として中央部に設けられている。
【００１６】
また、切目１０、１２、１５はミシン目状に設けることが好ましく、ミシン目であれば、カッターを使用することなく簡単に破ることができる。
【００１７】
このような展開図から成る段ボール箱５０は、図２に示すように、側板２、端板４、５を折目A、Cに沿って起立させ、糊代片８を端板４、５の内側に重ね合わせ接着糊で貼着させる。この状態にて、品物を挿入し、次いで、内フラップ６を折目Dに沿って内側に折り曲げ、蓋板３を折目Bに沿って内側に折り曲げ、内フラップ６と重ね合わせ、対向する蓋板３の突き合わせした部分に粘着テープ６０を貼着することで蓋面を閉止し、輸送することができる。
【００１８】
次いで、段ボール箱５０を変形体１００に変形させる方法について説明する。先ず、端板４、５に貼着した糊代片８を剥がし、元の展開状態にする。そして、図３に示すように、各切目１０、１２、１５をミシン目に沿って切り取る。
【００１９】
次いで、図４に示すように、糊代片８を側板２と重ね合わせ、折目F、Gに沿って内側に折り曲げ、端板４、５を折目Cに沿って逆折りさせる。そして、図５に示すように、折目Eに沿ってコ字状に折り曲げながら、折目A、Bに沿って内側に折り曲げ対向する蓋板３がV字状になるように形成し、図６に示すように、対向する腹部板１１を重ね合わせ、粘着テープ６０にて固定することで、腹部板１１の両側に側板２の一部が突出したような形状となり、この部分を足部３０とする。
【００２０】
上記のように組み上げることで、図７に示すように、段ボール箱５０から簡単に、犬型の変形体１００を形成することができるのである。
【００２１】
なお、本発明の前記実施形態での腹部板１１を固定する為に、粘着テープ６０を使用しているが、糊やホッチキスなどを使用しても同様の効果を得ることができる。
【図面の簡単な説明】
【００２２】
【図１】本発明の変形機能付段ボール箱の展開図である。
【図２】段ボール箱５０を組み立てた状態を示す斜視構成図である。
【図３】変形体１００の組み立て過程を示す斜視構成図である。
【図４】変形体１００の組み立て過程を示す斜視構成図である。
【図５】変形体１００の組み立て過程を示す斜視構成図である。
【図６】変形体１００の組み立て過程を示す斜視構成図である。
【図７】変形体１００を組み立てた状態を示す斜視構成図である。
【図８】従来の段ボール箱２００を組み立てた状態を示す斜視構成図である。
【符号の説明】
【００２３】
１  底板
２  側板
３  蓋板
４、５  端板
６、７  内フラップ
８  糊代片
１１  腹部板
１０、１２、１５  切目
２１  目部
２２  耳部
２３  尾部
５０  段ボール箱
１００  変形体
【図１】
2007039075.tif 000003
【図２】
2007039075.tif 000004
【図３】
2007039075.tif 000005
【図４】
2007039075.tif 000006
【図５】
2007039075.tif 000007
【図６】
2007039075.tif 000008
【図７】
2007039075.tif 000009
【図８】
2007039075.tif 000010